(57)【特許請求の範囲】
【請求項１】
レンズ（１１）から入射される光に応じた撮像を行う撮像装置（１）であって、
前記レンズを収納する筒部材（１０）と、
前記筒部材の少なくとも一部を含む当該撮像装置の構成部品を内部に収納した状態で保持するホルダ部材（３０）と、
を備え、
前記筒部材および前記ホルダ部材は、前記筒部材および前記ホルダ部材のうちの一方に設けられた雌ネジ部（３２）に、前記筒部材および前記ホルダ部材のうちの他方に設けられた雄ネジ部（１２）を蝶合すること、並びに、前記筒部材および前記ホルダ部材の間に接着剤（５１）を塗布することによって接合されており、
前記筒部材および前記ホルダ部材が前記雌ネジ部と前記雄ネジ部との蝶合状態が緩む方向に移動しようとする際に、前記蝶合状態が締まる方向に力を発生させる蝶合維持手段（６０）、
を備え、
前記蝶合維持手段は、
前記筒部材および前記ホルダ部材の少なくとも一方に、前記雄ネジ部および前記雌ネジ部として設けられたネジ溝に対して逆ネジ構造となる凸部または凹部を表す逆ネジ部（１３）、を備え、
前記逆ネジ部において前記接着剤を固化させることによって構成されていること
を特徴とする撮像装置。
【請求項２】
請求項１に記載の撮像装置において、
前記筒部材および前記ホルダ部材の接合面に沿って前記筒部材および前記ホルダ部材のうちの一方に設けられた突起部（１４）を、前記筒部材および前記ホルダ部材の接合面に沿って前記筒部材および前記ホルダ部材のうちの他方に設けられた溝部（３４）に係合させることで前記筒部材および前記ホルダ部材を位置決めするためのインロー部（５５）、を備えたこと
を特徴とする撮像装置。
【請求項３】
請求項２に記載の撮像装置において、
前記インロー部においても接着剤（５２）が塗布されていること
を特徴とする撮像装置。
【請求項４】
請求項１〜請求項３の何れか１項に記載の撮像装置において、
前記筒部材および前記ホルダ部材の少なくとも一方には、前記接着剤が塗布される部位において凸部または凹部を有するアンカ部（６０）、を備えたこと
を特徴とする撮像装置。
【発明の詳細な説明】
【技術分野】
【０００１】
本発明は、レンズから入射される光に応じた撮像を行う撮像装置に関する。
【背景技術】
【０００２】
上記の撮像装置として、レンズを収納する筒部材と、筒部材を含む撮像装置の構成部品を内部に収納した状態で保持するホルダ部材と、を備え、筒部材とホルダ部材とを接着剤で接合する構成が知られている（例えば、特許文献１参照）。
【０００３】
特許文献１に記載の撮像装置では、筒部材とホルダ部材との接着部位に凹凸を設けることで、接着面積を増やして接着強度を増している。
【先行技術文献】
【特許文献】
【０００４】
【特許文献１】特開２０１２−１２３２２０号公報
【発明の概要】
【発明が解決しようとする課題】
【０００５】
しかしながら、上記の撮像装置では、接着剤によって筒部材とホルダ部材とを接着しているだけであるので、高温や振動による耐久性に劣るという問題点があった。
そこで、このような問題点を鑑み、レンズから入射される光に応じた撮像を行う撮像装置において、高温や振動に対する耐久性を向上させることができるようにすることを本発明の目的とする。
【課題を解決するための手段】
【０００６】
かかる目的を達成するために成された撮像装置においては、レンズを収納する筒部材と、筒部材の少なくとも一部を含む当該撮像装置の構成部品を内部に収納した状態で保持するホルダ部材と、を備えている。そして、筒部材およびホルダ部材は、筒部材およびホルダ部材のうちの一方に設けられた雌ネジ部に、筒部材およびホルダ部材のうちの他方に設けられた雄ネジ部を蝶合すること、並びに、筒部材およびホルダ部材の間に接着剤を塗布することによって接合されている。さらに、筒部材およびホルダ部材が雌ネジ部と雄ネジ部との蝶合状態が緩む方向に移動しようとする際に、蝶合状態が締まる方向に力を発生させる蝶合維持手段、を備えている。
【０００７】
このような撮像装置によれば、雄ネジ部と雌ネジ部とを蝶合することによって筒部材およびホルダ部材を位置決めするとともに、接着剤で接合し、さらに、蝶合維持手段が、蝶合状態が緩む際に蝶合状態が締まる方向に力を発生させるので、筒部材およびホルダ部材の位置関係を強固に保持することができる。よって、撮像装置の高温や振動に対する耐久性を向上させることができる。
【０００８】
なお、各請求項の記載は、可能な限りにおいて任意に組み合わせることができる。この際、発明の目的を達成できる範囲内において一部構成を除外してもよい。
【図面の簡単な説明】
【０００９】
【図１】本実施形態の撮像装置の構成を示す側面図である。
【図２】撮像装置の中央断面図である。
【発明を実施するための形態】
【００１０】
以下に本発明にかかる実施の形態を図面と共に説明する。
［本実施形態の構成］
本発明が適用された撮像装置１は、レンズ１１から入射される光に応じた撮像を行うカメラとして構成されている。撮像装置１は、例えば、車載用カメラとして構成されており、車室内において直射日光の影響で高温となるガラス側（フロントガラス側）にレンズ１１を向けて配置される。本実施形態の撮像装置１では、このようにレンズ１１が高温となり、かつ振動が発生する過酷な環境においても、良好な耐久性を有するよう工夫されている。
【００１１】
詳細には、図１および図２に示すように、バレル１０と本体部３０とを備えている。バレル１０は、レンズを収納する円筒状の部材であり、複数のレンズ１１、およびピント調整機構（図示省略）を備えている。
【００１２】
また、本体部３０は、バレル１０を内部に収納した状態で保持するとともに、シャッタ装置３５およびフォトダイオードアレイ３１も備えている。なお、ピント調整機構は複数のレンズ１１による焦点距離を変化させることでピントを適切に調整する周知の機構であり、シャッタ装置３５はシャッタ部（図示省略）を開閉することでレンズ１１を介してフォトダイオードアレイ３１に入射される光量（タイミング）を調整する周知の装置である。また、フォトダイオードアレイ３１は、多数のフォトダイオードを備えた周知の撮像素子として構成されている。
【００１３】
ここで、バレル１０には、雄ネジ部１２、凸部１３、および溝部１４が備えられている。凸部１３は、雄ネジ部１２として設けられたネジ溝に対して逆ネジ構造（つまり、雄ネジ部１２として設けられたネジ溝とは逆方向の螺旋になる構造）となるよう形成されている。
【００１４】
また、本体部３０には、雌ネジ部３２、および突起部３４が備えられている。このような構成において、バレル１０および本体部３０は、バレル１０に設けられた突起部１４を、本体部３０に設けられた溝部１４に係合させることでバレル１０および本体部３０を位置決めし、この状態において雌ネジ部３２に雄ネジ部１２を蝶合することによって組み付けられる。
【００１５】
なお、突起部１４および溝部３４は、インロー部（インロー）５５を構成する。ただし、このインロー部５５においては、突起部１４の大きさに対して溝部３４が大きく形成されており、雌ネジ部３２に雄ネジ部１２を蝶合しつつバレル１０および本体部３０の相対的な位置を適切な位置まで変位できるよう配慮されている。なお、フォトダイオードアレイ３１とレンズ１１との位置関係は、雌ネジ部３２および雄ネジ部１２による蝶合状態を調整することで設定される。
【００１６】
また、バレル１０において溝部１４の近傍にはゴムパッキン５３が備えられており、雌ネジ部３２と雄ネジ部１２との蝶合が進むにつれてゴムパッキン５３がバレル１０と本体部３０との間で挟まれることで変形が進むよう設定されている。この構成によって、バレル１０と本体部３０との隙間がゴムパッキン５３によって塞がれ、防水性が向上する。
【００１７】
このような状態において、バレル１０および本体部３０の間に接着剤５１，５２を注入（塗布）することによって、バレル１０および本体部３０は強固に接合される。接着剤５１が固化すると、凸部１３との間で係合部６０が形成される。この係合部６０においては、バレル１０および本体部３０が雌ネジ部３２と雄ネジ部１２との蝶合状態が緩む方向に移動しようとする際に、蝶合状態が締まる方向に力を発生させる。
【００１８】
なお、インロー部５５においても接着剤５２が塗布されている。また、接着剤５１，５２としては、例えば、熱硬化樹脂、エポキシ系樹脂等の材質のものが採用されうる。すなわち、熱や振動に対する耐性が強いものを採用することが好ましい。このような材質の接着剤を採用する場合、バレル１０および本体部３０はＰＰＳ材等の樹脂であると接着効果が高く好ましい。
【００１９】
また、接着剤５１，５２は、バレル１０と本体部３０との組み付け前に塗布されていてもよいし、本体部３０に接着剤５１，５２の注入口を備えている場合には、バレル１０と本体部３０との組み付け後にこの注入口から接着剤５１，５２を注入してもよい。
【００２０】
［本実施形態による効果］
以上のように詳述した撮像装置１においては、レンズを収納するバレル１０と、バレル１０を含む当該撮像装置１の構成部品を内部に収納した状態で保持する本体部３０と、を備えている。そして、バレル１０および本体部３０は、バレル１０および本体部３０のうちの一方（本実施形態では本体部３０）に設けられた雌ネジ部３２に、バレル１０および本体部３０のうちの他方（本実施形態ではバレル１０）に設けられた雄ネジ部１２を蝶合すること、並びに、バレル１０および本体部３０の間に接着剤５１，５２を塗布することによって接合されている。さらに、バレル１０および本体部３０が雌ネジ部３２と雄ネジ部１２との蝶合状態が緩む方向に移動しようとする際に、蝶合状態が締まる方向に力を発生させる係合部６０、を備えている。
【００２１】
このような撮像装置１によれば、雄ネジ部１２と雌ネジ部３２とを蝶合することによってバレル１０および本体部３０を位置決めするとともに、接着剤５１，５２で接合し、さらに、係合部６０が、蝶合状態が緩む際に蝶合状態が締まる方向に力を発生させるので、バレル１０および本体部３０の位置関係を強固に保持することができる。よって、撮像装置１の高温や振動に対する耐久性を向上させることができる。
【００２２】
また、上記撮像装置１において、係合部６０は、バレル１０および本体部３０の少なくとも一方に、雄ネジ部１２および雌ネジ部３２として設けられたネジ溝に対して逆ネジ構造となる凸部１３を備え、凸部１３において接着剤５１を固化させることによって構成されている。
【００２３】
このような撮像装置１によれば、固化した接着剤５１と凸部１３とが密着するので、蝶合状態が緩む際に蝶合状態が締まる方向に力を発生させることができる。また、固化した接着剤５１と凸部１３との間でアンカ効果も奏することができる。
【００２４】
さらに、上記撮像装置１においては、バレル１０および本体部３０の接合面に沿ってバレル１０および本体部３０のうちの一方（本実施形態ではバレル１０）に設けられた突起部１４を、バレル１０および本体部３０の接合面に沿ってバレル１０および本体部３０のうちの他方（本実施形態では本体部３０）に設けられた溝部３４に係合させることでバレル１０および本体部３０を位置決めするためのインロー部５５、を備えている。
【００２５】
このような撮像装置１によれば、インロー部５５によってバレル１０および本体部３０を組み付ける際の位置決めを容易にすることができる。
また、上記撮像装置１においては、インロー部５５において接着剤５２が塗布されている。
【００２６】
このような撮像装置１によれば、インロー部５５にも接着剤５２が塗布されているので、接着面を増加することでバレル１０および本体部３０をより強固に保持することができる。
【００２７】
［その他の実施形態］
本発明は、上記の実施形態によって何ら限定して解釈されない。また、上記の実施形態の構成の一部を、課題を解決できる限りにおいて省略した態様も本発明の実施形態である。また、上記の複数の実施形態を適宜組み合わせて構成される態様も本発明の実施形態である。また、特許請求の範囲に記載した文言のみによって特定される発明の本質を逸脱しない限度において考え得るあらゆる態様も本発明の実施形態である。また、上記の実施形態の説明で用いる符号を特許請求の範囲にも適宜使用しているが、各請求項に係る発明の理解を容易にする目的で使用しており、各請求項に係る発明の技術的範囲を限定する意図ではない。
【００２８】
例えば、上記実施形態において、係合部６０は、凸部１３と接着剤５１との関係で逆ネジ部としての効果およびアンカ部としての効果を奏するよう構成したが、凸部１３に換えて、バレル１０または本体部３０において窪みとして形成された凹部を採用してもよい。また、逆ネジ部としての凸部１３または凹部と、アンカ部としての凸部１３または凹部は、それぞれ独立して別々に配置されていてもよい。
【００２９】
また、上記実施形態においてはバレル１０を円筒形状としたが、任意の形状の筒形状とされていてもよい。
［本実施形態の構成と本発明の構成との対応関係］
上記実施形態におけるバレル１０は本発明でいう筒部材に相当し、上記実施形態における本体部３０は本発明でいうホルダ部材に相当する。また、上記実施形態における凸部１３は本発明でいう逆ネジ部に相当し、上記実施形態における係合部６０は本発明でいうアンカ部および蝶合維持手段に相当する。
【符号の説明】
【００３０】
１…撮像装置、１０…バレル、１１…レンズ、１２…雄ネジ部、１３…凸部、１４…溝部、３０…本体部、３１…フォトダイオードアレイ、３２…雌ネジ部、３４…突起部、３５…シャッタ装置、５１…接着剤、５２…接着剤、５３…ゴムパッキン、５５…インロー部、６０…係合部。
【図１】
0006048325.tif 000002
【図２】
0006048325.tif 000003